(57)【要約】【課題】ユーザーが容易かつ迅速に交換することができるフィルタ１を提供する。【解決手段】ポリプロピレンまたはポリエチレン等からなる不織布を帯状に裁断した裁断濾材３ａを網袋３ｂ内に収容してなる網袋詰め裁断濾材３を、ポリプロピレンまたはポリエチレン等からなる不織布を上方を開放された箱状に縫製してなる箱状濾材２内に収容する。箱状濾材２内に収容されている網袋詰め裁断濾材３を、結合具４より箱状濾材２に留めておく。【選択図】図２
2009220011.tif 000002
【特許請求の範囲】
【請求項１】
不織布を上方を開放された箱状に縫製してなる箱状濾材と、不織布を帯状に裁断した裁断濾材を網袋内に収容してなり、前記箱状濾材内に収容された網袋詰め裁断濾材と、前記網袋詰め裁断濾材を前記箱状濾材に留めている結合具とを有してなるフィルタ。
【請求項２】
前記結合具は、全体にプラスチックからなり、可撓性を有する線状のフィラメント部と、このフィラメント部の一端部に設けられた、前記フィラメント部の幅または太さより大きい幅を有する頭部と、前記フィラメント部の他端部に設けられており、自由な状態では前記フィラメント部とＴ字状に交差する横棒部とを一体的に有しており、
前記フィラメント部が前記網袋詰め裁断濾材および前記箱状濾材の側面部を貫通し、前記頭部（または前記横棒部）が前記網袋詰め裁断濾材の上部に通り抜け不可能に外方から当接する一方、前記横棒部（または前記頭部）が前記箱状濾材の側面部に通り抜け不可能に外方から当接した状態とされていることにより、前記網袋詰め裁断濾材を前記箱状濾材に留めている請求項１記載のフィルタ。
【請求項３】
前記箱状濾材は、目の粗い不織布を上方を開放された箱状に縫製してなる外側箱状濾材と、目の細かい不織布を上方を開放された箱状に縫製してなり、前記外側箱状濾材の内側に重ねて収容された内側箱状濾材とを有してなる請求項１記載のフィルタ。
【請求項４】
上下に複数段配置されたフィルタ収容部と、各段の前記フィルタ収容部に収容されるフィルタとを有してなり、濾過対象液を上段側の前記フィルタ収容部から下段側の前記フィルタ収容部へ落下させ、各段の前記フィルタ収容部に収容された前記フィルタにより前記濾過対象液を濾過する濾過装置において、
前記フィルタは、不織布を上方を開放された箱状に縫製してなる箱状濾材と、不織布を帯状に裁断した裁断濾材を網袋内に収容してなり、前記箱状濾材内に収容された網袋詰め裁断濾材と、前記網袋詰め裁断濾材を前記箱状濾材に留めている結合具とを有してなる濾過装置。
【請求項５】
前記結合具は、全体にプラスチックからなり、可撓性を有する線状のフィラメント部と、このフィラメント部の一端部に設けられた、前記フィラメント部の幅または太さより大きい幅を有する頭部と、前記フィラメント部の他端部に設けられており、自由な状態では前記フィラメント部とＴ字状に交差する横棒部とを一体的に有しており、
前記フィラメント部が前記網袋詰め裁断濾材および前記箱状濾材の側面部を貫通し、前記頭部（または前記横棒部）が前記網袋詰め裁断濾材の上部に通り抜け不可能に外方から当接する一方、前記横棒部（または前記頭部）が前記箱状濾材の側面部に通り抜け不可能に外方から当接した状態とされていることにより、前記網袋詰め裁断濾材を前記箱状濾材に留めている請求項４記載の濾過装置。
【請求項６】
前記箱状濾材は、目の粗い不織布を上方を開放された箱状に縫製してなる外側箱状濾材６と、目の細かい不織布を上方を開放された箱状に縫製してなり、前記外側箱状濾材６の内側に重ねて収容された内側箱状濾材７とを有してなる請求項４または５記載の濾過装置。
【発明の詳細な説明】
【技術分野】
【０００１】
本発明は、水等の液体を濾過するフィルタに係り、特にオフセット印刷に使用される湿し水の濾過等に好適なフィルタに関する。
【背景技術】
【０００２】
従来、オフセット印刷に使用される湿し水を濾過するためのフィルタとしては、多くの場合、糸巻き型フィルタが用いられていた。この糸巻き型フィルタは、周壁に多数の貫通孔を開けられている芯管の外周に濾材となる糸を巻き付けたものを密閉容器内に収容し、ポンプにより芯管の内部に濾過対象液（湿し水）を送給し、圧力をかけた状態で該濾過対象液を前記貫通孔から芯管外に流出させ、さらに巻き付けられた糸間を通過させることにより、濾過を行うようになっていた。
【０００３】
他方、本出願人は、フィルタ収容部を上下に複数段有し、濾過対象液を上段側のフィルタ収容部から下段側のフィルタ収容部へ圧力をかけないで自然落下させ、各段のフィルタ収容部に収容されたフィルタにより濾過対象液を濾過する濾過装置を開発した（特許文献１参照）。さらに、本出願人は、前記フィルタ収容部に収容されるフィルタとして、不織布を箱状に縫製してなる箱状濾材に、不織布を帯状に裁断した帯状濾材を網袋内に収容してなる網袋詰め裁断濾材を収容するフィルタを開発し、特許文献１に開示している。
【特許文献１】特開２００７-２３７００７号公報
【発明の開示】
【発明が解決しようとする課題】
【０００４】
前記従来の糸巻き型フィルタにおいては、すぐ目詰まりしてしまうという問題があった。これは、濾過対象液（湿し水）に圧力をかけてフィルタを通過させようとするので、不純物等がフィルタの目に同時に全面的に入り込んでしまうためと考えられる。
【０００５】
また、前記従来の糸巻き型フィルタを用いたフィルタにおいては、密閉されている容器にフィルタが収容されているため、フィルタの交換作業に非常に手間が掛かるという問題もあった。
【０００６】
他方、前記本出願人が開発した、濾過対象液を上段側のフィルタ収容部から下段側のフィルタ収容部へ圧力をかけないで自然落下させて濾過する形式のフィルタにおいては、短期間のうちに目詰まりすることはない。しかしながら、前記本出願人が開発した箱状濾材に網袋詰め裁断濾材を収容する形式のフィルタにおいては、フィルタ交換時、ユーザーが箱状濾材に網袋詰め裁断濾材を一々収容してから、濾過装置のフィルタ収容部に収容しなければならないので、フィルタ交換作業が面倒であるという問題があった。
【０００７】
また、一般に不織布は、目の粗いものほど硬く、箱状とした場合に形状保持性がよくなる一方、逆に目の細かいものほど柔らかく、箱状とした場合に形状保持性が悪くなる。したがって、箱状濾材の素材として、一定以上目の細かい不織布を用いることはできなかったので、濾過精度を高くする必要がある場合は、十分な濾過精度を得られないことがあるという問題もあった。
【０００８】
本発明は、このような従来の事情に鑑みてなされたもので、本発明の目的の一つは、ユーザーがフィルタの交換を容易かつ迅速に行うことができるフィルタを提供することにある。
【０００９】
本発明の他の目的は、濾過精度を高くすることができるフィルタを提供することにある。
【００１０】
本発明のさらに他の目的は、以下の説明から明らかになろう。
【課題を解決するための手段】
【００１１】
本発明によるフィルタは、不織布を上方を開放された箱状に縫製してなる箱状濾材と、不織布を帯状に裁断した裁断濾材を網袋内に収容してなり、前記箱状濾材内に収容された網袋詰め裁断濾材と、前記網袋詰め裁断濾材を前記箱状濾材に留めている結合具とを有してなるものである。
【００１２】
また、本発明による濾過装置は、上下に複数段配置されたフィルタ収容部と、各段の前記フィルタ収容部に収容されるフィルタとを有してなり、濾過対象液を上段側の前記フィルタ収容部から下段側の前記フィルタ収容部へ落下させ、各段の前記フィルタ収容部に収容された前記フィルタにより前記濾過対象液を濾過する濾過装置において、
前記フィルタは、不織布を上方を開放された箱状に縫製してなる箱状濾材と、不織布を帯状に裁断した裁断濾材を網袋内に収容してなり、前記箱状濾材内に収容された網袋詰め裁断濾材と、前記網袋詰め裁断濾材を前記箱状濾材に留めている結合具とを有してなるものである。
【００１３】
本発明においては、濾過対象液が上方から網袋詰め裁断濾材の上面に供給されるようにする。箱状濾材により、濾過対象液は側方に逃げるのを抑制されるので、大部分の濾過対象液は裁断濾材および箱状濾材の底部を通過して濾過される（多少は箱状濾材の側部を通過して側方に漏れる分もあるが、本発明の濾過装置のように、上下方向にフィルタ収容部を複数段設ければ、前記側方に漏れた分も下段側のフィルタ収容部に収容されたフィルタにより濾過される）。
【００１４】
ここで、もし網袋詰め裁断濾材を、箱状濾材ではなく、硬いプラスチックのケースに収容すると、当該ケースは濾過機能を果たさない。また、使用後、網袋詰め裁断濾材と一緒に廃棄処理することもできない。
【００１５】
しかるに、本発明のフィルタにおいては、不織布を箱状に縫製してなる箱状濾材に網袋詰め裁断濾材を収容するので、箱状濾材にも濾過機能を果たさせることができるとともに、使用後は、素材が同種であるため、箱状濾材を網袋詰め裁断濾材と一緒に廃棄処理することができる。
【００１６】
また、裁断濾材は不織布を帯状に裁断してなるので、細かい気孔を沢山形成させ、濾過能力を向上させることができる。
【００１７】
そして、本発明のフィルタにおいては、網袋詰め裁断濾材が箱状濾材に収容された状態で該箱状濾材に結合具により留められているので、フィルタ交換時、ユーザーが箱状濾材に網袋詰め裁断濾材を一々収容する作業を行う必要がなく、ユーザーがフィルタの交換を容易かつ迅速に行うことができる。
【００１８】
また、箱状濾材を、目の粗い不織布を縫製してなる外側箱状濾材と、この外側箱状濾材の内側に重ねて収容された、目の細かい不織布を縫製してなる内側箱状濾材とを有してなるようにすれば、全体として箱状濾材の形状保持性を高くし、しかも濾過精度を高くすることができる。
【発明の効果】
【００１９】
本発明のフィルタは、
（イ）フィルタ交換時、ユーザーが箱状濾材に網袋詰め裁断濾材を一々収容する必要がなく、ユーザーがフィルタの交換を容易かつ迅速に行うことができる、
（ロ）箱状濾材を、目の粗い不織布を縫製してなる外側箱状濾材と、この外側箱状濾材の内側に重ねて収容された、目の細かい不織布を縫製してなる内側箱状濾材とを有してなるようにすれば、全体として箱状濾材の形状保持性を高くし、しかも濾過精度を高くすることができる、
等の優れた効果を得られるものである。
【発明を実施するための最良の形態】
【００２０】
以下、本発明を図面に示す実施例に基づいて説明する。
【実施例１】
【００２１】
図１は、実施例１におけるフィルタ１の箱状濾材２を示しており、ポリプロピレンまたはポリエチレン等からなる不織布を、ポリプロピレン等からなる糸（図示せず）を用いて、上方を開放された箱状に縫製してなる。なお、前記糸は、箱状の四隅部を縫い合わせている。
【００２２】
図２および３は、実施例１におけるフィルタ１全体を示しており、前記箱状濾材２内には網袋詰め裁断濾材３が収容されている。前記網袋詰め裁断濾材３は、ポリプロピレンまたはポリエチレン等からなる不織布を帯状に裁断した裁断濾材３ａを網袋３ｂ内に収容してなり、箱状濾材２内に収容された状態で、図２，３，６および７に示されるように、該箱状濾材２に複数箇所において結合具４により留められている。
【００２３】
前記結合具４は、図４および５によく示されるように、全体にプラスチックからなり、可撓性を有する偏平な線状のフィラメント部４ａと、このフィラメント部４ａの一端部に設けられた、フィラメント部４ａの幅または太さより広い幅を有する頭部４ｂと、前記フィラメント部４ａの他端部に設けられており、自由な状態では前記フィラメント部とＴ字状に交差する横棒部４ｃとを一体的に有している。
【００２４】
図８は、前記結合具４により箱状濾材２と網袋詰め裁断濾材３とを結合するために使用する結合具取付具５の先端側部分を示している。この結合具取付具５の取付具本体６に固定設置されている針７には、該針７の長さ方向に沿って横棒送出路８が設けられている。この横棒送出路８には、互いに多数つながった状態とされている結合具４の集合体（図示せず）のうちの先頭の結合具４の横棒部４ｃが供給されるようになっている。そして、取付具本体６に設けられた引き金（図示せず）を引く度に、横棒送出路８内後端側に嵌合された押し棒９が往復動し、結合具４の横棒部４ｃを針７後端側から針７先端側に向かって押し、針７外部に放出するようになっている（横棒送出路８から外部に横棒部４ｃを放出された結合具４は前記集合体から切り離され、集合体の中の新たに先頭になった結合具４の横棒部４ｃが横棒送出路６に供給される）。
【００２５】
ここで、結合具４が横棒送出路８を通過している間は、図８に示されるように、横棒部４ｃの長さ方向と横棒送出路８ひいては針７の長さ方向とは一致している。したがって、網袋詰め裁断濾材３の上部から箱状濾材２の側面部２ａへ針７を突き刺し、針７の先端部を箱状濾材２の側面部２ａから突出させた状態とすると、針７とともにフィラメント部４ａが網袋詰め裁断濾材３および箱状濾材２の側面部２ａを貫通した状態となる。そして、この状態で結合具取付具５の引き金を引けば、横棒部４ｃが針７外部に放出されるので、フィラメント部４ａが網袋詰め裁断濾材３および箱状濾材２の側面部２ａを貫通しているとともに、横棒部４ｃが箱状濾材２の側面部２ａに通り抜け不可能に外方から当接する一方、頭部４ｂが網袋詰め裁断濾材３の上部に通り抜け不可能に外方から当接した状態となり、結合具４により箱状濾材２に網袋詰め裁断濾材３が留められた状態となる。
【００２６】
なお、図を分かりやすくするため、図２，３，６，７では、頭部４ｂおよび横棒部４ｃが網袋詰め裁断濾材３および箱状濾材２に対しめり込んでいないように描いているが、網袋詰め裁断濾材３および箱状濾材２は柔らかいので、実際には、頭部４ｂおよび横棒部４ｃが網袋詰め裁断濾材３および箱状濾材２に対しめり込んだ状態となる。
【００２７】
また、勿論、上記とは逆に、箱状濾材２の側面部２ａ側から網袋詰め裁断濾材３の上部へ針７を突き刺し、針７の先端部を網袋詰め裁断濾材３の上部から突出させた状態で、結合具取付具５の引き金を引くことにより、フィラメント部４ａが箱状濾材２の側面部２ａおよび網袋詰め裁断濾材３を貫通し、横棒部４ｃが網袋詰め裁断濾材３の上部に通り抜け不可能に外方から当接する一方、頭部４ｂが箱状濾材２の側面部２ａに通り抜け不可能に外方から当接した状態となるようにして、結合具４により箱状濾材２に網袋詰め裁断濾材３を留めてもよい。
【００２８】
図９〜１２は、本実施例における濾過装置１０を示している。この濾過装置１０はオフセット印刷に使用される湿し水を濾過するためのものである。
【００２９】
濾過装置１０の基台１１の下部には、ポンプ１２が取り付けられている。このポンプ１２は、オフセット印刷の湿し水循環系において、印刷機（図示せず）で使用されて汚れた湿し水を、図９の矢印Ａで示されるように吸引するようになっている。前記基台１１の上部には、プラスチックからなるフィルタ容器１３が上下方向に５個重ねて取り付けられている。
【００３０】
本実施例においては、各フィルタ容器１３は各段のフィルタ収容部１４をそれぞれ構成するユニットであり、すべて同一形状かつ同一の大きさとされている（ただし、一番下のフィルタ容器１３のみ、後で詳しく説明する底部の排出口１５の位置および個数が他のフィルタ容器１３と異なっている）。図１１は、前記フィルタ容器１３および後で詳しく説明する開放部カバー１６をそれぞれ１個のみ取り出して示したものである。同図によく示されるように、各フィルタ容器１３は、基本的に箱状をなしていて、上方および上部前方を開放されている。各フィルタ容器１３の左右両側の内壁面１３ａ，１３ｂのうちの前端付近の部分には、直線状のカバー挿入溝１７がそれぞれ上下方向に設けられている。各フィルタ容器１３の底部には、排出口１５が設けられている。
【００３１】
一番上のフィルタ容器１３の上端には上部蓋材１８が取り付けられており、この上部蓋材１８は一番上のフィルタ容器１３の上方開放部を閉じている。前記上部蓋材１８に取り付けられた４路に分岐された管１９の出口側は、図１２および１４に示されるように、一番上のフィルタ容器１３内に侵入している。前記管１９の入口側は、図９および１０に示されるように、弁３０を介してポンプ１２の吐出口に接続されている。上から２〜５番目のフィルタ容器１３は、上段側のフィルタ容器１３の底部で下段側のフィルタ容器１３の上部開放部が閉じられるようにして、重ねられている。このようにして上部蓋材１８が一番上のフィルタ容器１３に取り付けられるとともに、５個のフィルタ容器１３が上下方向に重ねられることにより、上下方向に５段、フィルタ収容部１４が形成されており、かつ各段のフィルタ収容部１４に横方向（本実施例では、特に前方）に開放された横方向開放部２０（図９，１２，１３参照）が形成されている。
【００３２】
上から１〜４段目のフィルタ収容部１４（上から１〜４番目のフィルタ容器１３）の底部には、図１２〜１４に示されるように、それぞれ前記排出口１５が４つずつ設けられており、上段側のフィルタ収容部１４内の空間と下段側のフィルタ収容部１４内の空間とを連続させている。これらの排出口１５は、上段側のフィルタ収容部１４から下段側のフィルタ収容部１４へ水を導く流路を構成している。最下段のフィルタ収容部１４（一番下のフィルタ容器１３）の底部には、図１３に示されるように、１つの排出口１５が設けられており、この排出口１５は管１９を介して湿し水循環系のうちの、濾過後の水を供給すべき部分（図示せず）に接続されている。
【００３３】
各段のフィルタ収容部１４の底部上には、フィルタ載置材２１が載置されている。このフィルタ載置材２１は、それぞれ全体に偏平な水平部２１ａと立ち上がり部２１ｂとを有しており、前記立ち上がり部２１ｂは水平部２１ａの後端部から直角上方に立ち上がっている。前記水平部２１ａおよび立ち上がり部２１ｂは、それぞれ、多数の小さな開口を有する格子状部分２２と、この格子状部分２２の一方の面に設けられた多数の脚部２３とを一体的に有している。前記水平部２１ａの脚部２３は、該水平部２１ａの下方に突出して各段のフィルタ収容部１４（フィルタ容器１３）の底面に接し、該水平部２１ａの格子状部分２２を前記底面から離間させている。他方、前記立ち上がり部２１ｂの脚部２３は、該立ち上がり部２１ｂの格子状部分２２から後方に突出している。
【００３４】
図１２〜１４に示されるように、各段のフィルタ収容部１４内には、フィルタ載置材２１上に載置された状態で、フィルタ１が２つずつ横に並べて収容されている。なお、管１９の４路に分岐された出口および上から第１〜４段目のフィルタ収容部１４に設けられた４つの排出口１５は、それらの２つずつが各フィルタ１の網袋詰め裁断濾材３上にそれぞれ位置するように配置されている。
【００３５】
前記開放部カバー１６は、図１１によく示されるように、不透明なプラスチック製の下側板１６ａと、透明なプラスチック製の上側板１６ｂとを有してなり、上側板１６ｂは蝶番２４により、下側板１６ａの上端に幅方向に延びる軸回りに回動可能に取り付けられている。前記下側板１６ａは、幅方向両端部をフィルタ収容部１４のカバー挿入溝１７に抜き出し可能に挿入されるようになっている。前記上側板１６ｂには、止め具２５が取り付けられている。
【００３６】
この濾過装置１０においては、印刷機で使用されて汚れた湿し水が図９の矢印Ａのようにポンプ１２で吸引され、該ポンプ１２から吐出されて、弁３０を介して上方に送られ、管１９の出口から最上段のフィルタ収容部１４内に図１２および１４の矢印のように自然落下する。そして、最上段のフィルタ収容部１４内に収容されたフィルタ１により濾過された後、該フィルタ収容部１４の底部の排出口１５を経て、上から２段目のフィルタ収容部１４内に自然落下し、該フィルタ収容部１４内に収容されたフィルタ１により濾過される。以後、同様にして使用後の湿し水が順次上段側のフィルタ収容部１４から排出口１５を経て下段側のフィルタ収容部１４に図１２〜１４の矢印のように自然落下して濾過が行われる。最下段のフィルタ収容部１４の底部の排出口１５に達した湿し水は、管１９を経て、図９の矢印Ｂのように、湿し水循環系のうちの、濾過後の水を供給すべき部分に送られる。
【００３７】
次に、フィルタ１の作用効果についてより詳しく説明する。前述のように濾過すべき湿し水が上方から各段のフィルタ収容部１４に落下することにより、湿し水が網袋詰め裁断濾材３の上面に供給される。そして、この湿し水は、箱状濾材２により側方に逃げるのを抑制されるので、その大部分は裁断濾材３ａおよび箱状濾材２の底部を通過して濾過される。なお、箱状濾材２の側面部２ａを通過して側方に漏れる湿し水も多少あるが、この側方に漏れた分も下段のフィルタ収容部１４に収容されたフィルタ１により濾過される。
【００３８】
ここで、もし網袋詰め裁断濾材３を、箱状濾材２ではなく、硬いプラスチックのケースに収容すると、当該ケースは濾過機能を果たさない。また、使用後、網袋詰め裁断濾材３と一緒に廃棄処理することもできない。
【００３９】
しかるに、本発明のフィルタ１においては、不織布を箱状に縫製してなる箱状濾材２に網袋詰め裁断濾材３を収容するので、箱状濾材２にも濾過機能を果たさせることができるとともに、使用後は、素材が同種であるため、網袋詰め裁断濾材３と一緒に廃棄処理することができる。
【００４０】
また、裁断濾材３ａは不織布を帯状に裁断してなるので、細かい気孔を沢山形成させ、濾過能力を向上させることができる。
【００４１】
そして、本発明のフィルタ１においては、網袋詰め裁断濾材３が箱状濾材２に収容された状態で該箱状濾材２に結合具４により留められているので、フィルタ１交換時、ユーザーが箱状濾材２に網袋詰め裁断濾材３を一々収容する必要がなく、ユーザーがフィルタ１の交換を容易かつ迅速に行うことができる。
【００４２】
また、本実施例では、前述のようにして結合具４により箱状濾材２に網袋詰め裁断濾材８が留められるので、簡単・迅速かつ低コストにて、箱状濾材２に網袋詰め裁断濾材３を留めることができる。
【実施例２】
【００４３】
図１５は、本発明の実施例２のフィルタ１を示している。本実施例においては、箱状濾材２は、目の粗い不織布を縫製してなる外側箱状濾材２６と、この外側箱状濾材２６の内側に重ねて収容された、目の細かい不織布を縫製してなる内側箱状濾材２７とからなる。網袋詰め裁断濾材３は内側箱状濾材２７および外側箱状濾材２６に前記実施例１と同様に結合具４（図示せず）により留められている（本実施例の場合、結合具４のフィラメント部４ａは網袋詰め裁断濾材３、内側箱状濾材２７の側面部２７ａおよび外側箱状濾材２６の側面部２６ａを貫通している）。他の構成は、前記実施例１の場合と同様である。
【００４４】
本実施例においては、外側箱状濾材２６は目が粗いので、硬く、形状保持性をよくすることができる。他方、内側箱状濾材２７は目が細かいので、濾過精度を高くすることができる。したがって、全体として箱状濾材２の形状保持性を高くし、しかも濾過精度を高くすることができる。なお、本実施例では、外側箱状濾材２６内に内側箱状濾材２７を１つのみ収容し、全体として箱状濾材を２重構造としているが、外側箱状濾材内に内側箱状濾材を重ねて２つ以上収容し、全体として箱状濾材を３重以上の多重構造としてもよい。
【００４５】
また、前記各実施例は、本発明をオフセット印刷に使用される湿し水を濾過するためのフィルタおよび濾過装置に適用した例であるが、本発明のフィルタ１は他の用途のフィルタおよび濾過装置にも広く適用できるものである。また、濾過対象液は水のみならず、他の種の液体であてもよい。
【００４６】
また、前記各実施例では、１つの箱状濾材２内に１つの網袋詰め裁断濾材３を収容しているが、１つの箱状濾材内に２以上の網袋詰め裁断濾材を収容してもよい。さらにその場合、１つの箱状濾材内に２以上の網袋詰め裁断濾材を上下に積層して収容してもよいし、１つの箱状濾材内に２以上の網袋詰め裁断濾材を横に並べて収容してもよい（１つの箱状濾材内に２以上の網袋詰め裁断濾材を収容する場合は、一部の網袋詰め裁断濾材のみを結合具で箱状濾材に留め、この結合具で箱状濾材に留められた網袋詰め裁断濾材により、結合具で留められていない網袋詰め裁断濾材も箱状濾材に対して拘束された状態となるようにしてもよい）。
【産業上の利用可能性】
【００４７】
以上のように本発明によるフィルタは、水等の液体を濾過するフィルタとして有用である。
【図面の簡単な説明】
【００４８】
【図１】本発明の実施例１におけるフィルタの箱状濾材を示す斜視図である。
【図２】実施例１におけるフィルタ全体を示す平面図である。
【図３】図２のＩＩＩ−ＩＩＩ線における断面図である。
【図４】実施例１におけるフィルタの結合具を示す正面図である。
【図５】前記結合具を示す側面図である。
【図６】実施例１のフィルタにおける結合具による箱状濾材と網袋詰め裁断濾材との結合部付近を示す平面図である。
【図７】図６のＶＩＩ−ＶＩＩ線における断面図である。
【図８】前記結合具で箱状濾材と網袋詰め裁断濾材とを結合するために使用する結合具取付具の先端側部分を示す側面図である。
【図９】実施例１における濾過装置を示す正面図である。
【図１０】前記濾過装置を示す側面図である。
【図１１】前記濾過装置におけるフィルタ容器を示す斜視図である。
【図１２】前記濾過装置における上段側のフィルタ収容部を示す側断面図である。
【図１３】前記濾過装置における下段側のフィルタ収容部を示す側断面図である。
【図１４】前記濾過装置における上段側のフィルタ収容部を示す正面断面図である。
【図１５】本発明の実施例２におけるフィルタを示す断面図である。
【符号の説明】
【００４９】
１    フィルタ
２    箱状濾材
２ａ  箱状濾材の側面部
３    網袋詰め裁断濾材
３ａ  裁断濾材
３ｂ  網袋
４    結合具
４ａ  フィラメント部
４ｂ  頭部
４ｃ  横棒部
１０    濾過装置
１４    フィルタ収容部
２６    外側箱状濾材
２７    内側箱状濾材
【図１】
2009220011.tif 000003
【図２】
2009220011.tif 000004
【図３】
2009220011.tif 000005
【図４】
2009220011.tif 000006
【図５】
2009220011.tif 000007
【図６】
2009220011.tif 000008
【図７】
2009220011.tif 000009
【図８】
2009220011.tif 000010
【図９】
2009220011.tif 000011
【図１０】
2009220011.tif 000012
【図１１】
2009220011.tif 000013
【図１２】
2009220011.tif 000014
【図１３】
2009220011.tif 000015
【図１４】
2009220011.tif 000016
【図１５】
2009220011.tif 000017